(57)【要約】【課題】バックライトの光源を有効活用し、小型で軽量であり、消費電力が小さい誘導灯を得ること。【解決手段】本発明の誘導灯の一つは、シンボル面の裏面に光が照射されるバックライト方式であり、複数の第１の光源１１２が備えられた第１の光源基板１１１と、点滅可能な第２の光源１１６が備えられた第２の光源基板１１５と、第１の光源基板１１１と第２の光源基板１１５の間で、第２の光源基板１１５を回転可能に支持する回転支持部１１４と、第２の光源基板１１５を固定する支持部１１３と、を有し、通常時には、第２の光源１１６は点灯し、且つ複数の第１の光源１１２と第２の光源１１６の照射方向が同一であり、非常時には、支持部１１３が外れて第２の光源基板１１５が回転し、第２の光源１１６は下方向に向かって点滅する。【選択図】図２
2014085935.tif 000002
【特許請求の範囲】
【請求項１】
シンボル面の裏面に光が照射されるバックライト方式の誘導灯であって、
複数の第１の光源が備えられた第１の光源基板と、
点滅可能な第２の光源が備えられた第２の光源基板と、
前記第１の光源基板と前記第２の光源基板の間に設けられ、前記第２の光源基板を回転可能に支持する回転支持部と、
前記第２の光源基板を固定する支持部と、を有し、
通常時には、前記第２の光源は点灯し、且つ前記第１の光源の照射方向と前記第２の光源の照射方向は同一であり、
非常時には、前記支持部が外れて前記第２の光源基板が回転し、前記第２の光源は下方向に向かって点滅することを特徴とする誘導灯。
【請求項２】
シンボル面の裏面に光が照射されるバックライト方式の誘導灯であって、
複数の第１の光源が備えられた第１の光源基板と、
点滅可能な複数の第２の光源が備えられた第２の光源基板と、
前記第２の光源基板を固定する支持部と、を有し、
通常時には、前記第２の光源は点灯し、且つ前記第１の光源の照射方向と前記第２の光源の照射方向は同一であり、
非常時には、前記支持部が外れて前記第２の光源が下方を向くようにスライドしつつ、前記第１の光源基板が下方にスライドし、前記第２の光源は下方向に向かって点滅することを特徴とする誘導灯。
【請求項３】
下端部から照射された光が、導光板を介してシンボル面の裏面に照射されるエッジライト方式の誘導灯であって、
複数の第１の光源が備えられた第１の光源基板と、
点滅可能な第２の光源が備えられた第２の光源基板と、
前記第１の光源基板と前記第２の光源基板の間に設けられ、第２の光源基板を回転可能に支持する回転支持部と、
前記第２の光源基板を固定する支持部と、を有し、
通常時には、前記第２の光源は点灯し、且つ前記第１の光源の照射方向と前記第２の光源の照射方向は同一であり、
非常時には、前記支持部が外れて第２の光源基板が回転し、前記第２の光源は下方向に向かって点滅することを特徴とする誘導灯。
【請求項４】
前記第１の光源と前記第２の光源では、電圧及び周波数の規格が等しいことを特徴とする請求項１乃至請求項３のいずれか一項に記載の誘導灯。
【請求項５】
前記第２の光源は、前記第１の光源よりも定格光束が大きいことを特徴とする請求項１乃至請求項４のいずれか一項に記載の誘導灯。
【請求項６】
前記非常時における前記第２の光源の照射方向は、前記第２の光源から床面に引いた垂線に対して１〜４５度傾くことを特徴とする請求項１乃至請求項５のいずれか一項に記載の誘導灯。
【請求項７】
前記非常時における前記第２の光源から照射された光は、拡散カバーにより拡散されることを特徴とする請求項１乃至請求項６のいずれか一項に記載の誘導灯。
【請求項８】
前記非常時における前記第１の光源の駆動電流は、前記通常時における前記第１の光源の駆動電流よりも大きいことを特徴とする請求項１乃至請求項７のいずれか一項に記載の誘導灯。
【請求項９】
上端部の光源から照射された光が、導光板を介してシンボル面の裏面に照射されるエッジライト方式の誘導灯であって、
前記誘導灯の底面には光学シャッターが設けられており、
底面に設けられた光学シャッターは、
通常時には閉じ、
非常時には、一定の周波数により開閉動作を行うことで誘導灯の底面を点滅させることを特徴とする誘導灯。
【請求項１０】
前記非常時における前記光源から照射された光は、拡散カバーにより拡散されることを特徴とする請求項９に記載の誘導灯。
【発明の詳細な説明】
【技術分野】
【０００１】
本発明は、誘導灯に関する。
【背景技術】
【０００２】
誘導灯は、火災等の発生時に建造物内の避難者に対して避難経路等を知らせるものとして、様々な建造物に設置されている。誘導灯の一つとして、点滅式誘導灯が挙げられる。点滅式誘導灯では、火災等の発生時に、自動火災報知設備が火災等を検知し、火災等を検知した自動火災報知設備から送信された火災信号により点滅式誘導灯の信号装置が作動し、避難口の存在と位置を避難者に知らせるように点滅灯が点滅する。点滅灯には、ランプ（主にキセノンランプ）が用いられている。なお、この他にも、音声により避難経路等を知らせる誘導音付加型誘導灯と呼ばれるものがある。
【０００３】
また、近年、照明用の光源として白色ＬＥＤ（Ｌｉｇｈｔ  Ｅｍｉｔｔｉｎｇ  Ｄｅｖｉｃｅ）が広く普及している。そして、白色ＬＥＤの光量を、点滅式誘導灯の点滅灯として十分な大きさとすることが可能となってきたため、点滅灯として主に用いられていたキセノンランプが、白色ＬＥＤに置き換わりつつある。
【０００４】
例えば、特許文献１には、発光手段の発光素子としてＬＥＤが用いられ、非常時には該発光手段が下を向いて避難者の足元を照らし、避難者の足元が照らされることで避難が整然と行われる旨が開示されている。
【先行技術文献】
【特許文献】
【０００５】
【特許文献１】特開２０１１−３４４３３号公報
【発明の概要】
【発明が解決しようとする課題】
【０００６】
しかしながら、従来の技術によれば、点滅式誘導灯の点滅灯は、通常時にはまったく利用されず、このような点滅灯が存在することにより、誘導灯の小型化及び軽量化が阻害されていた。また、点滅式誘導灯において、点滅灯は、通常時にはまったく利用されていないにもかかわらず、常に入力電圧が印加されているため、低消費電力化が阻害されていた。
【０００７】
また、上記従来の技術によれば、発光手段が避難者の足元を照らすことはできるものの、発光手段のすべてが下を向くため、避難者に避難口の存在とその位置を正確に知らせるためには十分とはいえない。
【０００８】
本発明は、上記に鑑みてなされたものであって、シンボル表示部用バックライトの光源を有効活用し、小型で軽量であり、消費電力が小さい誘導灯を得ることを目的とする。
【課題を解決するための手段】
【０００９】
上述した課題を解決し、目的を達成するために、本発明の一つである誘導灯は、シンボル面の裏面に光が照射されるバックライト方式の誘導灯であって、複数の第１の光源が備えられた第１の光源基板と、点滅可能な第２の光源が備えられた第２の光源基板と、前記第１の光源基板と前記第２の光源基板の間に設けられ、前記第２の光源基板を回転可能に支持する回転支持部と、前記第２の光源基板を固定する支持部と、を有し、通常時には、前記第２の光源は点灯し、且つ前記複数の第１の光源の照射方向と前記第２の光源の照射方向は同一であり、非常時には、前記支持部が外れて前記第２の光源基板が回転し、前記第２の光源は下方向に向かって点滅することを特徴とする。
【発明の効果】
【００１０】
本発明によれば、点滅灯としてのみ動作する光源が不要であり、従来よりも小型で軽量であり、消費電力が小さい誘導灯を得ることができるという効果を奏する。
【図面の簡単な説明】
【００１１】
【図１】図１は、本発明が適用可能な誘導灯の外観の一例を示す図である。
【図２】図２は、実施の形態１の発光部をバックライト光源とする誘導灯の通常時における内部構成の一例を示す図である。
【図３】図３は、実施の形態１の発光部をバックライト光源とする誘導灯の非常時における内部構成の一例を示す図である。
【図４】図４は、実施の形態１の発光部に備えられる支持部の一例を示す斜視図である。
【図５】図５は、実施の形態１の発光部をバックライト光源とする誘導灯の通常時における内部構成の一例を示す斜視図である。
【図６】図６は、実施の形態１の発光部をバックライト光源とする誘導灯の非常時における内部構成の一例を示す斜視図である。
【図７】図７は、実施の形態１の発光部に備えられる第１の光源基板と第２の光源基板の接続部の側面の一例を示す図である。
【図８】図８は、実施の形態２の発光部をエッジライト光源とする誘導灯の通常時における内部構成の一例を示す図である。
【図９】図９は、実施の形態２の発光部をエッジライト光源とする誘導灯の非常時における内部構成の一例を示す図である。
【図１０】図１０は、実施の形態３の発光部をエッジライト光源とする誘導灯の内部構成の一例を示す図である。
【図１１】図１１は、実施の形態３の発光部をエッジライト光源とする誘導灯の内部構成の一例を示す側面図である。
【発明を実施するための形態】
【００１２】
以下に、本発明にかかる誘導灯の実施の形態を図面に基づいて詳細に説明する。なお、この実施の形態によりこの発明が限定されるものではない。
【００１３】
実施の形態１．
図１は、本実施の形態の誘導灯１００の外観を示す図である。
【００１４】
図１に示す誘導灯１００には、シンボル面カバー１０１及び拡散カバー１０２が備えられており、発光部が内部に備えられている。シンボル面カバー１０１は、誘導灯１００の内部に備えられた発光部によって内側から光に照らされ、暗所においてもシンボルを視認しやすい構成とする。
【００１５】
拡散カバー１０２は、内部に備えられた発光部（点滅可能な第２の光源）によって内側から光に照らされたときに、光が拡散する構成とする。拡散カバー１０２により、点滅可能な第２の光源として指向性の高いＬＥＤ素子を用いても、第２の光源の点滅を様々な方向から視認することができる。拡散カバー１０２に代えてレンズが設けられていてもよい。
【００１６】
次に、図１に示す誘導灯１００の内部に備えられる発光部の構成について図２及び図３を参照して説明する。
【００１７】
図２及び図３は、誘導灯１００の発光部がバックライト光源である場合の内部構成を示す図である。図２は通常時を示す図であり、図３は非常時（例えば、火災発生時）を示す図である。
【００１８】
図２に示す誘導灯１００のバックライト発光部１１０は、第１の光源基板１１１と、第１の光源１１２と、支持部１１３と、回転支持部１１４と、第２の光源基板１１５と、第２の光源１１６と、を備える。
【００１９】
第１の光源基板１１１には、複数の第１の光源１１２が配され、第１の光源１１２の制御回路等が備えられている。第１の光源基板１１１には、外部から電力が供給される構成が備えられていてもよいし、バッテリーが備えられていてもよい。
【００２０】
第１の光源基板１１１と第２の光源基板１１５は、支持部１１３によって物理的に接続され、固定されている。支持部１１３には、第２の光源１１６を点灯させる回路も含まれている。通常時には、第２の光源１１６は第１の光源基板１１１の第１の光源１１２と同様に点灯する。
【００２１】
図４は、発光部１１０に備えられる支持部１１３の一例を示す図である。回転支持部１１４は、第２の光源１１６が設けられた第２の光源基板１１５を回転可能に支持しており、支持部１１３は、第２の光源基板１１５が自重により回転してしまわないように支持している。火災が発生して自動火災報知設備が火災を検知すると、自動火災報知設備からの火災信号によって、支持部１１３が第２の光源基板１１５から外れる。支持部１１３が、第２の光源基板１１５から外れると、回転支持部１１４を軸として回転し、第２の光源１１６は下（図３の矢印の方向）を向くことになる。第２の光源１１６から照射された光は、拡散カバー１０２により拡散されるため、第２の光源１１６の点滅を様々な方向から視認することができる。また、通常時と同様にシンボル面により避難口の存在を示しつつ、その正確な位置を避難者に対して示すことができる。
【００２２】
第２の光源基板１１５には、第２の光源１１６を点滅させる制御回路（点滅用制御回路）及び点滅用電源が備えられている。通常時には、第２の光源１１６は、第１の光源基板１１１に備えられた第１の光源１１２と同じ制御回路により制御されている。しかし、非常時に支持部１１３が外れると、第２の光源１１６の制御は、第２の光源基板１１５に備えられた点滅用制御回路に切り替わり、第２の光源１１６は点灯をやめて点滅を開始する。
【００２３】
なお、第２の光源基板１１５には補助電源が備えられているとよく、第２の光源１１６の点滅時には、第２の光源１１６には該補助電源から電力を供給すればよい。
【００２４】
なお、誘導灯１００が避難口誘導灯である場合には、第２の光源１１６が向く方向は、第２の光源１１６の真下とするよりも、第２の光源１１６から床面に引いた垂線に対して１〜４５度傾かせることが好ましい。このように第２の光源１１６の向きを傾かせることで、第２の光源１１６が避難者のほうを向くことになる。そのため、第２の光源１１６の存在とその位置を避難者に気付かせやすく、避難者を避難口へ効果的に誘導することができる。
【００２５】
なお、第２の光源１１６の定格光束は、第１の光源１１２の定格光束よりも大きくする。非常時に点滅させる第２の光源１１６には、非常時に強い光を発することが要求されるからである。具体的には、点滅時において、第２の光源１１６は２Ｈｚで点滅し、点滅時には２．４Ｊの光量が必要とされる（ＪＩＬ５５０２  誘導灯器具及び避難誘導システム用装置技術基準、一般社団法人  日本照明器具工業会  発行、２００８年１２月９日  改正、付属書３を参照）。
【００２６】
ただし、第１の光源１１２と第２の光源１１６では、少なくとも電圧と周波数の規格（Ｖｆ規格）は等しくする。第１の光源１１２と第２の光源１１６には、通常時には第１の光源基板１１１に備えられた同一の制御回路及び同一の電源が接続されるからである。このように、第１の光源１１２と第２の光源１１６の電圧と周波数の規格を揃えると、これらを同一の制御回路及び同一の電源に接続することができる。
【００２７】
なお、非常時には、第１の光源１１２のみがバックライトとして機能するため、第１の光源１１２を通常時と同じ駆動電流で点灯させると、バックライト全体の明るさが通常時よりも暗くなってしまう。そのため、非常時には、第１の光源１１２の駆動電流を通常時よりも大きくするとよい。非常時に、第１の光源１１２の駆動電流を通常時よりも大きくすると、バックライト全体の明るさを通常時と同程度の明るさにすることができる。
【００２８】
このように、非常時に第１の光源１１２の駆動電流を大きくするためには、通常時には第１の光源１１２の駆動電流は、比較的小さく抑えられることになる。このように通常時に第１の光源１１２の駆動電流が抑えられると、第１の光源１１２を長寿命化することができる。
【００２９】
なお、ここでは、非常時に回転支持部１１４を回転軸として第２の光源基板が回転する態様について説明したが、本発明はこれに限定されるものではない。
【００３０】
図５及び図６は、誘導灯１００の発光部がバックライト光源であって、第２の光源基板がスライドする場合の内部構成を示す図である。図５は通常時を示す斜視図であり、図６は非常時を示す斜視図である。誘導灯１００の外観は、図１と同様である。
【００３１】
図５に示すバックライト発光部１１０ａは、第１の光源基板１１１ａと、第１の光源１１２ａと、第２の光源基板１１５ａと、第２の光源１１６ａと、を備える。
【００３２】
第１の光源１１２ａが複数設けられた第１の光源基板１１１ａと、第２の光源１１６ａが複数設けられた第２の光源基板１１５ａは、ヒンジ部１１３ａ（図７）によって物理的に接続され、固定されている。
【００３３】
図７は、実施の形態１の発光部に備えられる第１の光源基板１１１ａと第２の光源基板１１５ａの接続部の一例を示す側面図である。第１の光源基板１１１ａの内部には穴が設けられており、通常時には、この穴に押し出し部１１３ｂが格納されている。火災が発生して自動火災報知設備が火災を検知すると、自動火災報知設備からの火災信号によって、押し出し部１１３ｂが第１の光源基板１１１ａの内部から押し出され、第２の光源基板１１５ａを押す。第２の光源基板１１５ａは押し出し部１１３ｂによって押されて、第１の光源基板１１１ａが自重により下にスライドし、第２の光源１１６ａは下（図６の矢印の方向）を向くことになる。第２の光源１１６ａから照射された光は、拡散カバー１０２により拡散されるため、第２の光源１１６ａの点滅を様々な方向から視認することができる。また、通常時と同様にシンボル面により避難口の存在を示しつつ、その正確な位置を避難者に対して示すことができる。なお、図示していないが、押し出し部１１３ｂは、第１の光源基板１１１ａの内部の穴において糸等で吊るされていてもよい。
【００３４】
このように、非常時に第１の光源基板がスライドすることで、第２の光源基板が下を向く構成としてもよい。
【００３５】
以上説明したように、本発明によると、点滅可能な光源を、通常時にはバックライトの一部として動作させることができる。換言すると、通常時のバックライトの一部が非常時の点滅可能な光源を兼ねることになる。従って、非常時にのみ利用される点滅灯が不要であり、従来よりも小型で軽量な、消費電力が小さい誘導灯を得ることができる。また、消費電力が小さいため、バッテリーを小型化することができる。
【００３６】
実施の形態２．
本実施の形態では、本発明にかかる誘導灯の内部に備えられる発光部をエッジライトとした形態について図８及び図９を参照して説明する。なお、本実施の形態の誘導灯の外観は、実施の形態１の図１と同じである。
【００３７】
図８及び図９は、誘導灯１００の発光部がエッジライト光源である場合の内部構成を示す図である。図８は通常時を示す図であり、図９は非常時を示す図である。
【００３８】
図８に示す誘導灯１００のバックライト発光部２１０は、第１の光源基板２１１と、第１の光源２１２と、支持部２１３と、回転支持部２１４と、第２の光源基板２１５と、第２の光源２１６と、を備える。
【００３９】
第１の光源基板２１１には、複数の第１の光源２１２が配され、第１の光源２１２の制御回路等が備えられている。第１の光源基板２１１には、外部から電力が供給される構成が備えられていてもよいし、バッテリーが備えられていてもよい。
【００４０】
また、図８において第１の光源２１２及び第２の光源２１６の照射方向には導光板２１７が配されている。導光板２１７の裏面には、反射シート等が設けられているとよい。
【００４１】
第１の光源基板２１１と第２の光源基板２１５は、支持部２１３によって物理的に接続され、固定されている。支持部２１３には、第２の光源２１６を点灯させる回路も含まれている。通常時には、第２の光源２１６は第１の光源基板２１１の第１の光源２１２と同様に点灯する。
【００４２】
火災が発生して自動火災報知設備が火災を検知すると、自動火災報知設備からの火災信号によって、支持部２１３が第２の光源基板２１５から外れる。支持部２１３が、第２の光源基板２１５から外れ、回転支持部２１４を軸として回転することで、第２の光源２１６は下（図９の矢印の方向）を向くことになる。第２の光源２１６から照射された光は、拡散カバー１０２により拡散されるため、第２の光源２１６の点滅を様々な方向から視認することができる。また、通常時と同様にシンボル面により避難口の存在を示しつつ、その正確な位置を避難者に対して示すことができる。
【００４３】
第２の光源基板２１５には、第２の光源２１６を点滅させる制御回路（点滅用制御回路）及び点滅用電源が備えられている。通常時には、第２の光源２１６は、第１の光源基板２１１に備えられた第１の光源２１２と同じ制御回路により制御されている。しかし、非常時に支持部２１３が外れると、第２の光源２１６の制御は、第２の光源基板２１５に備えられた点滅用制御回路に切り替わり、第２の光源２１６は点灯をやめて点滅を開始する。
【００４４】
なお、第２の光源基板２１５には補助電源が備えられているとよく、第２の光源２１６の点滅時には、該補助電源から第２の光源２１６に電力を供給すればよい。
【００４５】
なお、誘導灯１００が避難口誘導灯である場合には、第２の光源２１６が向く方向は、第２の光源２１６の真下ではなく、第２の光源２１６から床面に引いた垂線に対して１〜４５°傾いていることが好ましい。このように第２の光源２１６の向きを傾かせることで、第２の光源２１６が避難者のほうを向くことになる。そのため、第２の光源２１６の存在とその位置を避難者に気付かせやすく、避難者を避難口へ効果的に誘導することができる。
【００４６】
なお、第２の光源２１６の定格光束は、実施の形態１と同様に、第１の光源２１２の定格光束よりも大きくする。また、第１の光源２１２と第２の光源２１６では、少なくとも電圧と周波数の規格（Ｖｆ規格）は実施の形態１と同様に等しくする。
【００４７】
また、非常時には、実施の形態１と同様に、第１の光源２１２の駆動電流を通常時よりも大きくするとよい。
【００４８】
また、通常時には、実施の形態１と同様に、第１の光源２１２の駆動電流は、比較的小さく抑えられる。そのため、第１の光源２１２を長寿命化することができる。
【００４９】
以上説明したように、本発明によると、点滅可能な光源を、通常時にはエッジライトの一部として動作させることができる。換言すると、通常時のエッジライトの一部が非常時の点滅可能な光源を兼ねることになる。従って、非常時にのみ利用される点滅灯が不要であり、従来よりも小型で軽量な、消費電力が小さい誘導灯を得ることができる。また、消費電力が小さいため、バッテリーを小型化することができる。
【００５０】
実施の形態３．
本実施の形態では、実施の形態１及び実施の形態２とは異なり、本発明にかかる誘導灯の底面に光学シャッターが設けられ、非常時には該光学シャッターが開閉することで誘導灯の底面が点滅する形態について図１０及び図１１を参照して説明する。
【００５１】
図１０は、誘導灯３００の発光部がエッジライト光源である場合の内部構成及び外枠を示す図である。図１１は、図１０に示す誘導灯３００の側面図を示す。
【００５２】
図１０及び図１１に示す誘導灯３００は、シンボル面カバー３０１及び拡散カバー３０２を備え、図１０及び図１１に示す誘導灯３００の内部に備えられたバックライト発光部３１０は、第１の光源基板３１１と、第１の光源３１２と、導光板３１７と、を備える。
【００５３】
拡散カバー３０２は、内部に備えられた発光部３１０によって内側から光に照らされたときに、この光が拡散する構成とする。拡散カバー３０２により、光源として指向性の高いＬＥＤ素子を用いた場合であっても、光源の点滅を様々な方向から視認することができる。
【００５４】
誘導灯３００の底面の一部または全部には光学シャッター３０３が備えられている。光学シャッター３０３は、液晶素子により設けることができる。
【００５５】
また、第１の光源基板３１１には、複数の第１の光源３１２が配され、第１の光源３１２の制御回路等が備えられている。第１の光源基板３１１には、外部から電力が供給される構成が備えられていてもよいし、バッテリーが備えられていてもよい。
【００５６】
また、図１０及び図１１において、第１の光源３１２の照射方向には導光板３１７が配されている。導光板３１７の裏面には、反射シート等が設けられているとよい。
【００５７】
火災が発生して自動火災報知設備が火災を検知すると、自動火災報知設備からの火災信号によって、光学シャッター３０３が所定の周波数（例えば２Ｈｚ）で開閉する。光学シャッター３０３が所定の周波数で開閉することにより、誘導灯３００の下方では、誘導灯３００が点滅しているように視認される。また、通常時と同様にシンボル面により避難口の存在を示しつつ、その正確な位置を避難者に対して示すことができる。
【００５８】
なお、上記説明した構成以外の構成については、実施の形態１及び実施の形態２と同様である。
【００５９】
以上説明したように、本実施の形態の誘導灯は、光源基板を、回転またはスライド等させなくても、非常時の点滅動作が可能である。また、実施の形態１及び実施の形態２の誘導灯と同様に、非常時にのみ利用される点滅灯が不要であり、従来よりも小型で軽量な、消費電力が小さい誘導灯を得ることができる。
【産業上の利用可能性】
【００６０】
以上のように、本発明にかかる誘導灯は、建造物に設置する誘導灯として有用であり、特に、避難口誘導灯に適している。
【符号の説明】
【００６１】
１００，３００  誘導灯、１０１，３０１  シンボル面カバー、１０２，３０２  拡散カバー、３０３  光学シャッター、１１０，１１０ａ，２１０，３１０  バックライト発光部、１１１，１１１ａ，２１１，３１１  第１の光源基板、１１２，１１２ａ，２１２，３１２  第１の光源、１１３，２１３  支持部、１１３ａ  ヒンジ部、１１３ｂ  押し出し部、１１４，２１４  回転支持部、１１５，１１５ａ，２１５  第２の光源基板、１１６，１１６ａ，２１６  第２の光源、２１７，３１７  導光板。
【図１】
2014085935.tif 000003
【図２】
2014085935.tif 000004
【図３】
2014085935.tif 000005
【図４】
2014085935.tif 000006
【図５】
2014085935.tif 000007
【図６】
2014085935.tif 000008
【図７】
2014085935.tif 000009
【図８】
2014085935.tif 000010
【図９】
2014085935.tif 000011
【図１０】
2014085935.tif 000012
【図１１】
2014085935.tif 000013